(57)【要約】      （修正有）【課題】縦葺き屋根板の成形が容易であり、強固な保持作用と確実な防水作用を果たす縦葺き屋根構造の施工法、及び縦葺き屋根構造の提供。【解決手段】左右に隣り合う縦葺き屋根板１，１の側縁部１３を、左右一対の上部保持部材と下部保持部材２で挟着して接続する施工法であって、縦葺き屋根板１は、面板部１１の左右の端縁に、下り段状に成形されると共にその先端が上方へ屈曲された側縁部１３が形成され、下部保持部材２は、下地への固定部２１と、左右一対の取付部２２と、縦葺き屋根板１の側縁部１３を下方から支持する支持部２３と、を備える【選択図】図１
2020204237.tif 000002
【特許請求の範囲】
【請求項１】
左右に隣り合う縦葺き屋根板の側縁部を、左右一対の上部保持部材と下部保持部材で挟着して接続する縦葺き屋根構造の施工法であって、
前記縦葺き屋根板は、面板部の左右の端縁に、下り段状に成形されると共にその先端が上方へ屈曲された側縁部が形成され、
前記下部保持部材は、下地への固定部と、左右一対の取付部と、前記縦葺き屋根板の側縁部を下方から支持する支持部と、を備え、
前記上部保持部材は、左右に隣り合う縦葺き屋根板の一方の縦葺き屋根板の側縁部を上方から覆う覆い部と、前記下部保持部材の取付部に取り付けられる係合部と、を備える上部一方部材、及び左右に隣り合う縦葺き屋根板の他方の縦葺き屋根板の側縁部を上方から覆う覆い部と、前記下部保持部材の取付部に取り付けられる係合部と、を備える上部他方部材からなり、
下地上に固定した下部保持部材の左右に前記縦葺き屋根板を配設した後、
前記上部一方部材の係合部を、前記下部保持部材の取付部に係合させると共に、前記上部他方部材の係合部を、前記下部保持部材の取付部に係合させ、
その後、左右の縦葺き屋根板の側縁部間を覆うカバー材を、上部保持部材に一体的に組み付けることを特徴とする縦葺き屋根構造の施工法。
【請求項２】
下部保持部材には、流れ方向の上端及び下端にそれぞれ上方への凸部が形成され、上部一方部材及び上部他方部材の流れ方向への脱落を防止していることを特徴とする請求項１に記載の縦葺き屋根構造の施工法。
【請求項３】
中央に隆起部を備える排水部材を下地に配設し、下部保持部材を前記隆起部に配した状態で固定具を打ち込んで固定することを特徴とする請求項１又は２に記載の縦葺き屋根構造の施工法。
【請求項４】
請求項１〜３の何れか一項に記載の施工法にて形成されることを特徴とする縦葺き屋根構造。
【発明の詳細な説明】
【技術分野】
【０００１】
本発明は、縦葺き屋根板の成形が容易であり、強固な保持作用と確実な防水作用を果たす縦葺き屋根構造の施工法、及び縦葺き屋根構造に関する。
【背景技術】
【０００２】
従来、左右側縁部に加工を施さない平板状の屋根板を用いた屋根構造として、特許文献１のような構造が提案されている。
当該特許文献１に用いられた屋根板は、側縁部に立ち上げ部（ハゼ部）が形成されていないため、ロール状の金属板材を現場に持ち込み、現場にて必要長さの金属板材を切断して施工に供することができるという利点を有する。
【０００３】
しかし、前記特許文献１に提案される屋根構造では、確かに屋根板の成形加工の点では優れているが、屋根板の側縁部を挟着しているに過ぎないので、例えば屋根面に負圧等が作用した際には容易に挟着が外れてしまうものであった。即ち面板部が上方へ引き上げられ、挟着されていた側縁が容易に外れてしまい、屋根板が外れ落ちたり、風で飛散するといった事故を起こす恐れがあった。
また、屋根板の側縁部を挟着しているに過ぎないので、屋根板の裏面側へ薄い等が廻り込み易いため、漏水を生ずる恐れもあった。
【０００４】
そのため、本発明者らは、左右の側縁部として微少な成形を加えることにより、安定に保持される構造を特許文献２，３として提案した。これらのうち、特許文献２に提案した屋根構造は、屋根板の側縁に長孔状の貫通孔を形成して上部材と下部材とで挟着するものであり、特許文献３に提案した屋根構造は、側面視Ｚ字状の係止部を形成して上部材と下部材とで挟着するものである。
【先行技術文献】
【特許文献】
【０００５】
【特許文献１】実開平２−１４３４１９号公報
【特許文献２】特許第２５６９２６６号公報
【特許文献３】特許第２８７４８２２号公報
【発明の概要】
【発明が解決しようとする課題】
【０００６】
しかしながら、前記特許文献２では、屋根板に複数の貫通孔を形成するので、当該貫通孔からの雨水の廻り込みは避けられない。また、前記特許文献３の側面視Ｚ字状の係止部では、係止作用も水返し作用も十分には得られなかった。
そこで、本発明は、縦葺き屋根板の成形が容易であり、強固な保持作用と確実な防水作用を果たす縦葺き屋根構造の施工法、及び縦葺き屋根構造を提案することを目的とする。
【課題を解決するための手段】
【０００７】
本発明は、上記に鑑み提案されたもので、左右に隣り合う縦葺き屋根板の側縁部を、左右一対の上部保持部材と下部保持部材で挟着して接続する縦葺き屋根構造の施工法であって、前記縦葺き屋根板は、面板部の左右の端縁に、下り段状に成形されると共にその先端が上方へ屈曲された側縁部が形成され、前記下部保持部材は、下地への固定部と、左右一対の取付部と、前記縦葺き屋根板の側縁部を下方から支持する支持部と、を備え、前記上部保持部材は、左右に隣り合う縦葺き屋根板の一方の縦葺き屋根板の側縁部を上方から覆う覆い部と、前記下部保持部材の取付部に取り付けられる係合部と、を備える上部一方部材、及び左右に隣り合う縦葺き屋根板の他方の縦葺き屋根板の側縁部を上方から覆う覆い部と、前記下部保持部材の取付部に取り付けられる係合部と、を備える上部他方部材からなり、下地上に固定した下部保持部材の左右に前記縦葺き屋根板を配設した後、前記上部一方部材の係合部を、前記下部保持部材の取付部に係合させると共に、前記上部他方部材の係合部を、前記下部保持部材の取付部に係合させ、その後、左右の縦葺き屋根板の側縁部間を覆うカバー材を、上部保持部材に一体的に組み付けることを特徴とする縦葺き屋根構造の施工法に関するものである。
【０００８】
また、本発明は、前記施工法において、下部保持部材には、流れ方向の上端及び下端にそれぞれ上方への凸部が形成され、上部一方部材及び上部他方部材の流れ方向への脱落を防止していることを特徴とする縦葺き屋根構造の施工法をも提案する。
【０００９】
また、本発明は、前記施工法において、中央に隆起部を備える排水部材を下地に配設し、下部保持部材を前記隆起部に配した状態で固定具を打ち込んで固定することを特徴とする縦葺き屋根構造の施工法をも提案する。
【００１０】
さらに、本発明は、前記施工法にて形成されることを特徴とする縦葺き屋根構造をも提案するものである。
【発明の効果】
【００１１】
本発明の縦葺き屋根構造の施工法は、左右一対の上部保持部材及び下部保持部材によって縦葺き屋根板の側縁部を挟持する方法であって、左右に隣り合う縦葺き屋根板の何れか一方のみを上部一方部材にて保持し、他方の縦葺き屋根板のみを上部他方部材にて保持するので、上部一方部材も上部他方部材も、覆い部が形成された側の逆側には、覆い部を設けないため、下部保持部材の取付部に、容易に取り付けることができ、強固な保持作用と確実な防水作用を果たすことができる。
【００１２】
また、本発明は、下部保持部材には、流れ方向の上端及び下端にそれぞれ上方への凸部が形成されている場合、上部一方部材及び上部他方部材の流れ方向への脱落が防止される。
【００１３】
また、中央に隆起部を備える排水部材を下地に配設し、前記下部保持部材を前記隆起部に配した状態で固定具を打ち込んで固定する場合、仮に側縁部の裏面側に雨水等が廻り込んだとしても排水部材の排水部にて確実に流下（排水）させることができる。
【００１４】
さらに、前記施工法によって形成される縦葺き屋根構造は、前述のように左右に隣り合う縦葺き屋根板の何れか一方のみを上部一方部材にて、他方の縦葺き屋根板のみを上部他方部材にて保持するので、下部保持部材の取付部に、容易に取り付けることができ、強固な保持作用と確実な防水作用を果たす。そのため、例えば十数センチより小さな部材でも取付に支障を生ずることないため、各種の縦葺き屋根構造に適用することができる。
【図面の簡単な説明】
【００１５】
【図１】（ａ）本発明の第１実施例の縦葺き屋根構造の施工法に用いた上部一方部材の三面図（平面図、正面図、左側面図）、（ｂ）用いた下部保持部材の三面図（平面図、正面図、右側面図）と、その平面図と正面図との間に点線にて付記した屋根板の正面図、（ｃ）用いた上部他方部材の三面図（平面図、正面図、左側面図）、（ｄ）上部一方部材及び上部他方部材を取り付ける以前の下部保持部材を示す正面図、（ｅ）下部保持部材に上部一方部材を取り付けた状態を示す正面図、（ｆ）下部保持部材に上部他方部材を取り付けた状態を示す正面図である。
【図２】（ａ）第１実施例の施工法に用いた上部一方部材及び上部他方部材の斜視図、（ｂ）用いた下部保持部材の斜視図、（ｃ）下部保持部材に上部一方部材及び上部他方部材を取り付けた状態を示す斜視図、（ｄ）排水部材上にて屋根板の側縁部を上部保持部材及び下部保持部材で挟持すると共にカバー材を配設した状態の分解斜視図、（ｅ）排水部材上に配設した下部保持部材への上部保持部材の取付状態、左右の縦葺き屋根板とカバー材との配置関係を示す状態を示す斜視図、（ｆ）排水部材上に配設した下部保持部材へ上部他方部材を配設した状態の縦葺き屋根構造を示す正面図、（ｇ）排水部材上に配設した下部保持部材へ上部他方部材を配設し、更に上部一方部材を配設した状態の縦葺き屋根構造を示す正面図である。
【図３】（ａ）第１実施例の縦葺き屋根構造を示す側断面図、（ｂ）左側には、下部保持部材に上部一方部材を取り付けた状態、右側には、下部保持部材に上部他方部材を取り付けた状態を示す正面図である。
【発明を実施するための形態】
【００１６】
本発明の縦葺き屋根構造は、左右に隣り合う縦葺き屋根板（以下、屋根板という）の側縁部を、左右一対の上部保持部材と下部保持部材で挟着して接続するものである。
前記屋根板は、面板部の左右の端縁に、下り段状に成形されると共にその先端が上方へ屈曲された側縁部が形成される。
前記下部保持部材は、下地への固定部と、左右一対の取付部と、前記屋根板の側縁部を下方から支持する支持部と、を備える。
前記上部保持部材は、左右に隣り合う前記屋根板の一方の屋根板の側縁部（のみ）を上方から覆う覆い部と、前記下部保持部材の取付部に取り付けられる係合部と、を備える上部一方部材、及び左右に隣り合う屋根板の他方の屋根板の側縁部（のみ）を上方から覆う覆い部と、前記下部保持部材の取付部に取り付けられる係合部と、を備える上部他方部材からなる。
そして、下地上に固定した下部保持部材の左右に前記屋根板を配設した後、前記上部一方部材の係合部を、前記下部保持部材の取付部に係合させると共に、前記上部他方部材の係合部を、前記下部保持部材の取付部に係合させ、その後、左右の屋根板の側縁部間を覆うカバー材を、上部保持部材に一体的に組み付けることを特徴とする。
【００１７】
前記縦葺き屋根構造を構成する屋根板、下部保持部材、上部保持部材（上部一方部材、上部他方部材）を、以下に、それぞれ詳細に説明する。
【００１８】
前記屋根板は、面板部の左右の端縁に、裏面側への下り段状に成形されると共にその先端が上方へ屈曲された側縁部が形成される構成であって、言い換えれば下り段状部と水返し片状の側縁部とを備える。
前記面板部は平板状でも波状でも特に限定するものではないが、前述のようにこの屋根板の成形（加工）を容易とすることを目的としているので、専ら後述する図示実施例のように平板状とすることが望ましい。
なお、この屋根板は、公知の金属素材等より成形され、ロール成形やプレス成型、或いは両者の組合せにより成形（成型）されるものであり、その素材厚は特に限定するものではないが、概ね０．４乃至１．６ｍｍ程度である。
【００１９】
前記下部保持部材は、前述のように下地への固定部と、左右一対の取付部と、前記屋根板の側縁部を下方から支持する支持部と、を備える構成である。
前記支持部は、左右に隣り合う屋根板の側縁部を下方から支持するものであるから、左右にそれぞれ形成してもよいし、一連に形成してもよく、特にその形状等を限定するものではない。
前記取付部は、上部一方部材や上部他方部材に形成した係合部と連結する部位であり、図示実施例では略中央に上方が開放する空間を備える略Ｕ字状に形成し、前記空間に中心側へ突出する左右一対の係止片を設けた構成としたが、特に限定されるものではない。即ち係合にて連結可能であれば、この取付部や上部保持部材の係合部は、どのように形成してもよい。
なお、この下部保持部材は、流れ方向に一定長さの成型材である。
また、前記支持部の外側には、後述する図示実施例に示すように屋根板の下り段状部及び面板部の端縁を下方から支持するＬ字状片を形成してもよい。このＬ字状片の横片（フランジ）は、雪止めや太陽熱集熱器機等の取付箇所とすることができる。
【００２０】
なお、前記固定部の流れ方向の上端及び下端には、上方への凸部を形成してもよい。この凸部は、上部一方部材及び上部他方部材の流れ方向への脱落を防止することができる。この凸部としては、例えば後述する図示実施例のように切り込み片を立ち上げて形成した爪状でもよいし、ビス等でもよい。
【００２１】
前記上部保持部材は、前述のように左右一対の上部一方部材及び上部他方部材からなる構成である。
このうち、上部一方部材は、左右に隣り合う前記屋根板の一方の屋根板の側縁部のみを上方から覆う覆い部（以下、区別のため一方覆い部という）と、前記下部保持部材の取付部に取り付けられる係合部と、を備える。
また、上部他方部材は、左右に隣り合う屋根板の他方の屋根板の側縁部のみを上方から覆う覆い部（他方覆い部）と、前記下部保持部材の取付部に取り付けられる係合部と、を備える。
前記一方覆い部も前記他方覆い部も、屋根板の側縁部を上方から覆うものであるが、特にこれらの覆い部をＬ字状に形成して上方から囲う場合には、負圧等が作用して面板部の中央方向へ引っ張られても、当該Ｌ字状の覆い部の縦片に側縁部の先端が当接（係止）し、面板部への引っ張りによる外れを防止するため望ましい。
なお、上部一方部材も上部他方部材も、覆い部が形成された側の逆側には、後述する図示実施例のように覆い部を設けない。
前記係合部は、上部一方部材にも上部他方部材にも設けられる部位であり、前記下部保持部材に設けた取付部と連結する部位であり、図示実施例では略Ｕ字状部分の外側に下方から上方に向かって厚肉となる左右一対の半鏃状片を設けた構成としたが、特に限定するものではない。
なお、これらの上部一方部材、上部他方部材には、流れ方向に連続するカバー材を取り付けるための固定受部を設けるが、これらの部材は一定長さの成型材として成形する。
【００２２】
前述のように上部一方部材や上部他方部材の係合部と下部保持部材の取付部とは、係合にて連結可能であればどのように形成してもよく、後述する図示実施例のように上方から押圧して弾性嵌合させるものが好ましい。
【００２３】
そして、前記屋根板の側縁部は、前記上部一方部材の一方覆い部、前記上部他方部材の他方覆い部にて、上方から覆われると共に、前記下部保持部材の支持部にて、下方から支持される構成であるから、上下から挟着状に保持される被挟持部分となる。
この側縁部は、前述のように先端が上方へ屈曲されて水返し片状に形成されるため、その先端が当接（係止）するように覆い部（一方覆い部及び他方覆い部）をＬ字状に形成することが望ましい。
【００２４】
また、本発明の縦葺き屋根構造には、左右に隣り合う屋根板間に排水部材を配設していることが望ましく、特に中央に隆起部を備える排水部材を下地に配設し、前記下部保持部材を前記隆起部に配した状態で固定具を打ち込んで固定することが望ましい。仮に側縁部の裏面側に雨水等が廻り込んだとしても、排水部材の排水部にて確実に流下（排水）させることができるからである。
【００２５】
また、前述のように上部一方部材や上部他方部材は、流れ方向に連続するカバー材を取り付ける固定受部を設けるため、該カバー材により、雨水等の浸入を防止することができる。
前記カバー材は、少なくとも左右の屋根板の側縁部間を覆う被覆部を有するものであって、前記固定受部に取り付けられる固定部を備える連続材である。前記被覆部は、前記屋根板の側縁部を覆う部位であって、その配設に際して両面粘着フォーム材等の止水材を介在させて側縁部との間からの雨水等の浸入を防止していることが好ましい。また、前記固定部は、上部一方部材や上部他方部材に設けた固定受部に係合等にて連結される部位であって、係合や嵌合等にて連結可能であれば、これらの固定受部や固定部は、どのように形成してもよい。
【実施例１】
【００２６】
図１には、本発明の第１実施例の縦葺き屋根構造に用いる左右一対の上部保持部材３（３Ａ，３Ｂ）と下部保持部材２とを示すものであって、同図（ａ）は上部一方部材３Ａの三面図（平面図、正面図、左側面図）であり、同図（ｂ）は用いた下部保持部材２の三面図（平面図、正面図、右側面図）、同図（ｃ）は用いた上部他方部材３Ｂの三面図（平面図、正面図、左側面図）であり、図１（ｂ）の平面図と正面図との間には、用いる屋根板１の正面図を点線にて示したので、下部保持部材２への屋根板１の取付状態が示されている。
【００２７】
各構成部材をそれぞれ簡易に説明すると、前記屋根板１は、面板部１１の左右のそれぞれの端縁に、下り段状に成形される（下り段状部１２）と共にその先端が上方へ屈曲された側縁部１３が形成される。
また、前記下部保持部材２は、図示しない下地への固定部２２と、左右一対の取付部２３と、前記屋根板１の側縁部１３を下方から支持する支持部２４と、を備える。
さらに、前記上部保持部材３Ａは、左右一対の上部一方部材３Ａ及び上部他方部材３Ｂからなり、上部一方部材３Ａは、左右に隣り合う屋根板１，１の一方の屋根板１の側縁部１３のみを上方から覆う覆い部３１ａと、前記下部保持部材２の取付部２３に取り付けられる係合部３３と、を備え、上部他方部材３Ｂは、左右に隣り合う屋根板１，１の他方の屋根板１の側縁部１３のみを上方から覆う覆い部３１ｂと、前記下部保持部材２の取付部２３に取り付けられる係合部３３と、を備える。
【００２８】
前記屋根板１は、この図示実施例では略水平状の平板部分である面板部１１の左右の端縁に、下り段状部１２と水返し片状の側縁部１３とを備える構成であり、ロール成形やプレス成型、或いは両者の組合せにより成形（成型）され、その素材厚は概ね０．４乃至１．６ｍｍ程度に成型した。
前記下り段状部１２及び前記側縁部１３は、略Ｚ字状に成形され、下部保持部材２の支持部２４に支持させた際に安定に保持される。
【００２９】
前記下部保持部材２は、図１（ｂ）に示すようにこの図示実施例では略Ｈ字状の左右の縦片２１，２１が大きく拡開する部材であって、該縦片２１，２１を連結する略水平状の横片２２が当該図１には図示しない下地への固定部であり、その平面図に示すように部材の略中央に形成した孔２２０が固定具２ｂの取付孔である。前記固定部２２の上方空間が、上部一方部材３Ａや上部他方部材３Ｂに設けた略Ｕ字状の係合部３３を取り付ける取付部２３であって、より具体的には、この略Ｕ字状部分３３の外側に形成されて左右一対の突出片３３１，３３１が、取付部２３の空間に中央側へ突出する左右一対の係止片２３１，２３１に弾性的に係合（嵌合）する。
なお、前記固定部２２の流れ方向の上端（図面では前端）及び下端（図面では後端）には、それぞれ切り込み片を立ち上げて形成した爪状の凸部２２１，２２１が形成されている。
また、前記左右の縦片２１，２１の上端から端側へ略水平状に延在する横片２４が前記屋根板１の側縁部１３を下方から支持する支持部であり、更に外側へ延在するＬ字状片２５が下り段状部１２及び面板部１１の端縁を受支する受支部である。なお、縦片２１の上端には突起片２３２が、受支部２５の横片の中央側にも突起片２５１が形成されているので、支持部２４が上方が開放する囲い皿状に形成され、屋根板１の側縁部１３を支持させた際に安定に係合状に保持することができる。
【００３０】
前記上部一方部材３Ａは、図１（ａ）に示すようにこの図示実施例ではＵ字状の片方（左側）の縦片の上端を端側へ延在させた部材であって、前記下部保持部材２の取付部２２に取り付けられるＵ字状の係合部３３と、該係合部３３の片方（左側）の縦片の上端から端側へ延在して前記屋根板１の側縁部１３を上方から覆うＬ字状の一方覆い部３１ａと、を備える一定長さの成型材である。なお、前記係合部３３のもう片方（右側）の縦片の上端には僅かに端側へ延在する押し部３２ａが設けられている。
さらに、前記係合部３３（Ｕ字状）の外側に下方から上方に向かって厚肉となる左右一対の半鏃状片が係合片３３１，３３１として設けられ、前記係合部３３（Ｕ字状）の内側に上方から下方に向かって厚肉となる左右一対の半鏃状片が係止片３３２，３３２として設けられている。
これらの上部一方部材３Ａ及び上部他方部材３Ｂは、前述のように一定長さの成型材であるが、その流れ方向の寸法は、前記下部保持部材２の流れ方向の長さの半分以下にで形成されている。
【００３１】
前記上部他方部材３Ｂは、図１（ｃ）に示すようにこの図示実施例ではＵ字状の片方（右側）の縦片の上端を端側へ延在させた部材であって、前記上部一方部材３Ａとは左右対称の部材である。そのため、前記上部一方部材３Ａと同様に前記下部保持部材２の取付部２２に取り付けられるＵ字状の係合部３３を備えるが、該係合部３３の片方（右側）の縦片の上端から端側へ延在して前記屋根板１の側縁部１３を上方から覆うＬ字状の他方覆い部３１ｂを備える一定長さの成型材であり、前記係合部３３のもう片方（左側）の縦片の上端には僅かに端側へ延在する押し部３２ｂが設けられている。
【００３２】
前記下部保持部材２に対し、前記屋根板１，１を配設するには、図１（ｂ）中に示すように下部保持部材２設けた支持部２４，２４に、屋根板１，１に設けた側縁部１３，１３を支持させる。
その際、前記支持部２４は、図１（ｄ）に示すように中央側に突起片２３２が、端側に受支部２５から延在する突起片２５１が存在するため、上方が開放する囲い皿状であり、屋根板１の側縁部１３を安定に係合状に保持することができる。
【００３３】
その後、図１（ｅ）に示すように前記上部一方部材３Ａの係合部３３を、前記下部保持部材２の取付部２３に係合させると共に、図１（ｆ）に示すように前記上部他方部材３Ｂの係合部３３を、前記下部保持部材２の取付部２３に係合させる。
その際、上部一方部材３Ａや上部他方部材３Ｂの取付は、点線で示すように一方覆い部３１ａや他方覆い部３１ｂが上になるように傾斜状に臨ませて回動状に取付部２３へ係合させることができる。言い換えれば、覆い部３１ａ，３１ｂが形成されない押し部３２ａ，３２ｂが下になるように臨ませて回動させると、押し部３２ａ，３２ｂを取付部２３の上端に近接させて回動できるため、容易に係合させることができる。
【００３４】
図２（ａ）〜（ｃ）は、前記上部一方部材３Ａ、前記上部他方部材３Ｂ、及び前記下部保持部材２を、並びにその係合状態をそれぞれ斜視図にて示している。
図２（ｄ）は、排水部材６上にて屋根板１の側縁部１３を上部保持部材（３Ａ，３Ｂ）及び下部保持部材２で挟持すると共にカバー材５を配設した状態の分解斜視図であり、図２（ｅ）は、排水部材６上に配設した下部保持部材２への上部保持部材（３Ａ，３Ｂ）の取付状態、左右の縦葺き屋根板１，１とカバー材５との配置関係を示す状態を示す斜視図である。
【００３５】
前記排水部材６は、底面部６１の略中央に上方へ凸状の隆起部６２を備え、前記底面部６１の左右端を上方へ立ち上げて側面部６３，６３としており、前記隆起部６２を挟んで左右に排水部が形成されている構成である。なお、この隆起部６２の裏面側には、弾性止水材８Ｂが配設されている。
前記カバー材５は、流れ方向に連続する通し材であって、隣り合う屋根板１，１の側縁部１３，１３間を覆う略平坦状の被覆部５１の左右の端縁を裏面側へ折り返し、更に下方へ折り下げると共に、その下端をそれぞれ外側へ跳ね上げ状に折り曲げて係合部５２，５２を設けた構成である。なお、このカバー材５の被覆部５１の左右の端縁は、膨出する円弧状に成形されている。また、この被覆部５１の裏面側には、弾性止水材８Ａが配設されている。
【００３６】
前記排水部材６には、前述のように隆起部６２が形成されているので、前記下部保持部材２を配設し、部材の略中央に形成した取付孔２２０に対して固定具２ｂを打ち込むことにより、両部材６，２を一連に固定することができる。
図示実施例では、前述のように隆起部６２の裏面側に弾性止水材８Ｂが配設されているので、排水部材６の排水部からの雨水が仮に固定具２ｂを伝うことがあっても、弾性止水材８Ｂにて下地４上への漏水を防止できる。
その後、取り付けた下部保持部材２に対し、左右の屋根板１，１の側縁部１３，１３を前述の操作手順にて取り付け、その後、上部一方部材３Ａ及び上部他方部材３Ｂを取り付ける手順に付いても既に説明したとおりである。
図示実施例では、図２（ｃ）〜（ｅ）に示すように上部一方部材３Ａを前記取付孔２２０の水下側（図面手前側）に、上部他方部材３Ｂを前記取付孔２２０の水上側（図面奥側）に、取り付けるが、前記固定部２２の流れ方向の上端（図面では前端）及び下端（図面では後端）には、それぞれ切り込み片を立ち上げて形成した爪状の凸部２２１，２２１が形成されているため、流れ方向への脱落が防止される。
【００３７】
その後、前記カバー材５を上方から臨ませ、上部一方部材３Ａ及び上部他方部材３Ｂの係合部３３，３３に係合するように上方から押圧して係合部５２，５２を弾性係合させて取り付け、略平坦状の外装面を形成する。
即ち前記カバー材５の被覆部５１と前記屋根材１の面板部１１は、面一状に連続して略平坦状の外装面を形成する。
【００３８】
図２（ｆ）には、排水部材６上に配設された下部保持部材２へ上部他方部材３Ｂを配設した状態を示すが、図２（ｇ）には、上部一方部材３Ａと上部他方部材３Ｂの両方を配設した状態を示している。即ち図２（ｆ）は、取付孔２２０から水上側を見た断面図であって、図２（ｇ）は、水下端から水上側を見た正面図であるため、上部他方部材３Ｂを点線にて示している。
【００３９】
図３（ａ）は、施工された縦葺き屋根構造の側断面図であって、図３（ｂ）には、その正面図を示すが、上部他方部材３Ｂの取付状態を明確に示すため、同図の右側には、前記図３（ａ）中に示した一点鎖線における断面構成を示している。
同図における下地４は、流れ方向に配された角状材（母屋）４Ａ上に木毛セメント板などからなる野地板４Ｂが敷設され、更にその上にアスファルトルーフィング４ｃが配設された構成である。
前記下地４の上には、適宜間隔で断面矩形状の断熱材７が配され、この断熱材７，７の配設間隔には、前記排水部材６及び前記下部保持部材２が配設されている。
【００４０】
これらの各部材からなる図示実施例の縦葺き屋根構造を施工するには、以下の手順で行う。
まず、前記下地４の上に、所定間隔にて前記断熱材７を敷設し、隣り合う間隔に前記排水部材６を配すると共にその隆起部６２に跨るように前記下部保持部材２を配設し、固定具２ｂにて下地４に固定する。
次に、前記断熱材７上に前記屋根板１を配設し、その面板部１１の端縁及び下り段状部１２を前記下部保持部材２の受支部２５に載置させると共に、その側縁部１３を前記支持部２４に載置させる。
図示実施例では、支持部２４は、上方が開放する囲い皿状であるため、屋根板１の側縁部１３を安定に係合状に保持できることは既に説明したとおりである。
【００４１】
続いて、前記上部一方部材３Ａや前記上部他方部材３Ｂの係合部３３を、前記下部保持部材２の取付部２３に対して取り付ける。
この上部一方部材３Ａや上部他方部材３Ｂの取付部２３への取付についても、既に説明したように覆い部３１ａ，３１ｂが形成されない押し部３２ａ，３２ｂを取付部２３の上端に近接させて回動させることで、容易に取付部２３に係合させることができる。
図示実施例では、上部一方部材３Ａの水下端は、下部保持部材２の水下側の凸部２２１に係止され、上部他方部材３Ｂの水上端は、下部保持部材２の水上側の凸部２２１に係止されるため、流れ方向への脱落が防止される。
【００４２】
その後、前記カバー材５を上方から臨ませ、上部一方部材３Ａや上部他方部材３Ｂの係合部３３（係止片３３２）に係合するように上方から押圧して係合部５２を弾性係合させて取り付け、略平坦状の外装面を形成する。
図示実施例では、カバー材５の被覆部５１の裏面側に、弾性止水材８Ａが配設されているため、該弾性止水材８Ａが被覆部５１の先端側から浸入しようとする雨水のそれ以上の浸入を防止することができる。
【００４３】
そして、前記各部材から構成される図示実施例の縦葺き屋根構造は、左右一対の上部保持部材３Ａ及び下部保持部材３Ｂによって縦葺き屋根板１，１の側縁部１３，１３を挟持する施工法により得られたものであり、左右に隣り合う縦葺き屋根板１，１の何れか一方のみを上部一方部材３Ａにて保持し、他方の縦葺き屋根板１のみを上部他方部材３Ｂにて保持するので、上部一方部材３Ａも上部他方部材３Ｂも、覆い部３１ａ，３１ｂが形成された側の逆側には設けないため、下部保持部材２の取付部２３に、容易に取り付けることができ、強固な保持作用と確実な防水作用を果たすことができる。
【００４４】
特に、上部一方部材３Ａや上部他方部材３Ｂの取付は、一方覆い部３１ａや他方覆い部３１ｂが上になるように傾斜状に臨ませ、容易に回動状に取付部２３へ係合させることができる。要するに押し部３２ａ，３２ｂが下になるように取付部２３の上端に近接させて臨ませて回動させると、容易に係合させることができる。例えば当該上部一方部材３Ａや上部他方部材３Ｂが、十数センチより小さな部材だったとしても、取付に支障を生ずることなく、上部一方部材３Ａも上部他方部材３Ｂを容易に取り付けることができる。
【符号の説明】
【００４５】
１  縦葺き屋根板
１１  面板部
１２  下り段状部
１３  側縁部
２  下部保持部材
２ｂ  固定具
２１  縦片
２２  固定部
２２１  凸部
２３  取付部
２３１  係止片
２３２  突起片
２４  支持部
２５  受支部
２５１  突起片
３  上部保持部材
３Ａ  上部一方部材
３Ｂ  上部他方部材
３１ａ  一方覆い部
３１ｂ  他方覆い部
３２ａ，３２ｂ  押し部
３３  係合部
３３１  係合片
３３２  係止片
４  下地
５  カバー材
５１  被覆部
５２  係合部
６  排水部材
６２  隆起部
７  断熱材
８Ａ，８Ｂ  弾性止水材
【図１】
2020204237.tif 000003
【図２】
2020204237.tif 000004
【図３】
2020204237.tif 000005